(57)【要約】【課題】  小さな異物を除去する専用部品を設けることなく、バリア装置内に侵入した小さな異物を容易に除去しバリア装置の作動不良を防止すると共に、レンズ鏡筒内への侵入を防止することができるバリア装置を提供する。【解決手段】  支持筒（４）の被写体側の一部に貫通孔（４ｇ）を設け、支持筒（４）の貫通孔（４ｇ）を覆う第２の固定部（１２ｂ）を粘着テープ（１２）に設けて、バリア装置（５）内に侵入した小さな異物を粘着テープ（１２）の第２の固定部（１２ｂ）で除去し、バリア開閉不良、レンズ鏡筒ユニット内に配置された駆動部の作動不良を防止する。【選択図】  図９
2008191553.tif 000002
【特許請求の範囲】
【請求項１】
撮影光学系の前面を保護する開閉可能なバリア部材を支持する支持部材と、該支持部材に固定されることで前記バリア部材を保持する前記カバー部材と、該カバー部材を覆う外周表面が外観処理された外観部材を前記カバー部材に固定する粘着部材を有するバリア装置において、
前記支持部材の被写体側の一部に貫通孔を設け、前記貫通孔を覆う保護部を前記粘着部材に設けたことを特徴とするバリア装置。
【請求項２】
前記保護部の大きさは、貫通孔より大きく設定したことを特徴とする請求項１のバリア装置。
【請求項３】
撮影光学系の前面を保護する開閉可能なバリア部材を支持する支持部材と、該支持部材に固定されることで前記バリア部材を保持する前記カバー部材と、該カバー部材を覆う外周表面が外観処理された外観部材を前記カバー部材に固定する粘着部材を有するバリア装置において、
前記カバー部材の一部に貫通孔を設け、前記貫通孔を前記粘着部材で覆ったことを特徴とするバリア装置。
【請求項４】
前記貫通孔は、バリア部材が開閉する走行範囲以外に設けたことを特徴とするバリア装置。
【発明の詳細な説明】
【技術分野】
【０００１】
本発明は、バリア装置内及びレンズ鏡筒内へのゴミなどの異物の侵入を防止する手段が設けられたバリア装置に関するものである。
【背景技術】
【０００２】
バリア装置及びレンズ鏡筒内へのゴミなどの異物が侵入すると、バリア装置内及びレンズ鏡筒内に配置された駆動部の作動不良等が発生する恐れがある。このため、従来、バリア装置及びレンズ鏡筒内へのゴミなどの異物侵入を防止するための対策を講じたバリア装置は、特許文献１、特許文献２によりが種々提案されている。
【０００３】
特許文献１では、鏡筒に断面形状が三角形の突起部を設け、バリア羽根駆動リングに鏡筒の突起を囲むように切り欠き部が設けられている。
【０００４】
バリア開き及び閉じ動作において、バリア羽根駆動リングが回転すると切り欠き部の端部が鏡筒の突起部の斜面に当接し、バリア羽根駆動リングは鏡筒の突起部の斜面に沿って光軸方向前方側（被写体側）へ移動する。
【０００５】
このバリア駆動リングの移動により、バリア駆動リングの前方に配置されているバリア羽根は、バリア羽根駆動リングに押され光軸方向前方側（被写体側）へ移動する。
【０００６】
バリア羽根駆動リングが鏡筒の突起部の頂点に達した時、バリア羽根はバリア保護カバーの後面に押し付けられ、バリア羽根とバリア保護カバーとの隙間を塞ぐ構造になっている。
【０００７】
また、特開平１１−６４７０２公報では、鏡筒枠と鏡筒枠内に配置されたレンズ保持枠との間に円筒状の伸縮自在な防砂ゴムを設け鏡筒枠とレンズ保持枠との隙間を塞ぐ構造になっている。
【特許文献１】特開平９−６１８８７号公報（第９頁、図１）
【特許文献２】特開平１１−６４７０２公報（第５頁、図１）
【発明の開示】
【発明が解決しようとする課題】
【０００８】
しかしながら、特許文献１開示の技術思想においては、バリア羽根とバリア保護カバーとの隙間へ侵入するゴミなどの異物を防止することができるが、バリア全開状態でバリア装置にゴミなどの異物が侵入する構成になっている。
【０００９】
場合によっては、バリア装置内に侵入したゴミなどの異物が暴れバリア羽根駆動リングの作動不良が発生しバリアが閉じなくなる。また、レンズ鏡筒内に配置された駆動部の作動不良が発生するといった問題が生じる。
【００１０】
また、特許文献２開示の技術思想においては、レンズ鏡筒内へ侵入するゴミなどの異物を防止することができるが、バリア装置内に侵入するゴミなどの異物はバリア装置内で暴れ、バリア羽根駆動リングの作動不良が発生しバリアが閉じなくなるといった問題が生じる。
【００１１】
そこで本発明は、ゴミなどの異物を除去する専用部品を設けることなく、バリア装置内に侵入したゴミなどの異物を容易に除去しバリア装置の作動不良を防止すると共に、レンズ鏡筒内への侵入を防止することができるバリア装置を提供することを目的とする。
【課題を解決するための手段】
【００１２】
本発明のバリア装置は、撮影光学系（２）の前面を保護する開閉可能なバリア部材（７、８）を支持する支持部材（４）と、該支持部材（４）に固定されることで前記バリア部材（７、８）を保持する前記カバー部材（１１）と、該カバー部材（１１）を覆う外周表面が外観処理された外観部材（１３）を前記カバー部材（１１）に固定する粘着部材（１２）を有するバリア装置において、前記支持部材（４）の被写体側の一部に貫通孔（４ｇ）を設け、前記貫通孔（４ｇ）を覆う保護部（１２ｂ）を前記粘着部材（１２）に設けたことを特徴としている。
【００１３】
また、本発明の他の特徴とするところは、前記保護部（１２ｂ）の大きさは、貫通孔（４ｇ）より大きく設定したことを特徴としている。
【００１４】
また、撮影光学系（２）の前面を保護する開閉可能なバリア部材（７、８）を支持する支持部材（４）と、該支持部材（４）に固定されることで前記バリア部材（７、８）を保持する前記カバー部材（１１）と、該カバー部材（１１）を覆う外周表面が外観処理された外観部材（１３）を前記カバー部材（１１）に固定する粘着部材（１２）を有するバリア装置において、前記カバー部材（１１）の一部に貫通孔（１１ｃ）を設け、前記貫通孔（１１ｃ）を前記粘着部材（１２）で覆ったことを特徴としている。
【００１５】
また、本発明の他の特徴とするところは、前記貫通孔（１１ｃ）は、バリア部材（７、８）が開閉する走行範囲以外に設けたことを特徴としている。
【発明の効果】
【００１６】
本発明によれば、バリア装置内に侵入したゴミなどの異物を除去する専用部品を設けることなく容易にゴミなどの異物を除去することができる。したがって、バリア開閉不良を防止することができ、またレンズ鏡筒内への侵入を防止することができる。
【発明を実施するための最良の形態】
【００１７】
（実施例１）
以下、図面を参照して、本発明の実施形態１について詳細に説明する。まず、図１から図３及び図１０を用いて本実施形態に係るバリア装置の構成について説明する。
【００１８】
１はレンズ鏡筒ユニットである。露出制御を行う不図示のシャッターユニットと、合焦動作を行う不図示のレンズ駆動機構と、撮影光学系を光軸方向に進退移動させるモーター１５と動力伝達減速機構１６からなるズーム駆動機構３を有する。また、撮影レンズを透過した被写体光束を受光して光電変換する不図示の撮像素子も有する。
【００１９】
４は、撮影レンズ２とバリア装置５を支持する支持部材としての支持筒である。支持筒４は、ズーム駆動機構３により光軸方向に進退移動する。この支持筒４には、撮影レンズ２を保持するレンズ保持部４ａと、バリア羽根７、８を支持する支持穴４ｂ、４ｃと、バリアカバー１１を係止する係止爪４ｄが形成されている。また、バリア駆動リング６のスラストガタを規制する規制爪４ｅと、バリア装置５内に侵入したゴミなどの異物を除去する貫通孔４ｇが形成されている。
【００２０】
この貫通孔４ｇは、被写体側に形成され係止爪４ｄの一部が型構造上アンダーカットとなり固定駒と可動駒で構成するとことができないため、外周を構成するスライド駒の進入口としても利用している。この貫通孔４ｇの幅Ｂは、図２に示すように係止爪４ｄの幅Ａより大きく設定されている。
【００２１】
６はバリア羽根７、８の開閉動作を行うバリア駆動リングで、支持筒４のレンズ保持部４ａの外周に回転可能に嵌合し、支持筒４の規制爪４ｅにより支持筒４に支持されており、支持筒４と一体で光軸方向に進退移動する。
【００２２】
このバリア駆動リング６には、駆動部６ａとバリア羽根７、８を駆動する先端がＲ形状した突起部６ｆ、６ｇと、スプリング９、１０を掛ける軸６ｄ、６ｅとが形成されている。
【００２３】
７、８は非撮影時バリアカバー１１の開口部１１ａを覆い撮影レンズ２の前面を保護する開閉可能なバリア部材としてのバリア羽根である。支持筒４の支持穴４ｂにバリア羽根７の支持軸７ａが回転可能に嵌合支持されている。また支持筒４の支持穴４ｃにバリア羽根８の支持軸８ａが回転可能に嵌合支持されている。
【００２４】
このバリア羽根７、８は、バリア駆動リング６の回転に追従してバリアカバー１１の開口部１１ａの開閉を行う。
【００２５】
９、１０はバリア駆動リング６を反時計方向に回転させ、バリア羽根７、８を閉じ方向に付勢するスプリングである。一方のフック９ａ、１０ａがバリア駆動リングの軸６ｄ、６ｅに、他方フック９ｂ、１０ｂがバリア羽根８、９の軸８ｂ、９ｂにそれぞれ掛けられている。
【００２６】
１１はバリア羽根７、８を支持筒４に保持するカバー部材としてのバリアカバーである。バリアカバー１１の係止爪１１ｂを支持筒４の係止爪４ｄに係止させることで支持筒４に固定される。
【００２７】
バリアカバー１１の係止爪１１ｂの幅Ｃは、図３に示すように支持筒４の貫通孔４ｇの幅Ｂより小さく設定されている。
【００２８】
このバリアカバー１１の中央部には撮影光路に対する開口部１１ａが形成されている。
【００２９】
１２は外観カバーを固定すると共にバリア装置内に侵入したゴミなどの異物を除去する粘着部材としての粘着テープである。外観カバー１３とバリアカバー１１とを固定する第１の固定部１２ａが形成されている。また、外観カバー１３と支持筒４とを固定すると共にゴミなどの異物の暴れを防止する第２の固定部１２ｂが一体で形成されている。
【００３０】
第２の固定部１２ｂは、支持筒４の貫通孔４ｇに対応した位置に構成され、使用状態では光軸方向と平行になるように折り曲げ、支持筒４の貫通孔４ｇを覆うようになっている。この、第２の固定部１２ｂの幅Ｄは支持筒４の貫通孔４ｇの幅Ｂより大きく設定されている（図７参照）。したがって、第２の固定部１２ｂは、保護部として機能する。
【００３１】
１３はバリアカバー１１を覆う外周表面が外観処理された外観部材としての外観カバーである。支持筒４の外周４ｆに嵌合し粘着テープ１２により支持筒４に固定されている。外観カバー１３は粘着テープ１２の第１の固定部１２ａによりバリカバー１１に固定され、また粘着テープ１２の第２の固定部１２ｂにより支持筒４の外周４ｆに固定される。
【００３２】
次に図４から図７を用いて本実施形態１に係る粘着テープ貼り付け位置について説明する。
【００３３】
粘着テープ１２の第２の固定部１２ｂは、図４及び図５に示すように支持筒４の貫通孔４ｇを覆う位置に配置し、粘着テープ１２の第２の固定部１２ｂを光軸方向と平行になるように折り曲げ、図６及び図７に示すように支持筒４の貫通孔４ｇを覆う。
【００３４】
次に図３及び図８から図９を用いて本実施形態１に係るバリア装置内にゴミなどの異物が侵入した場合について説明する。
【００３５】
撮影状態において、バリア羽根７、８はバリアカバー１１の開口部１１ａから退避し、バリアカバー１１と撮影レンズ２との間にバリア羽根が走行する走行スペースが出来る。このバリア羽根の走行スペースから、ゴミなどの異物が図８に示すようにバリア装置５内に侵入する（破線矢印で示す）。
【００３６】
バリア装置５内に侵入したゴミなどの異物は、図３に示すようにバリアカバー１１の係止爪１１ｂと支持筒４の貫通孔４ｇとの間を通過し、図８に示すように粘着テープ１２の第２の固定部１２ｂに貼り付く。
【００３７】
このように、ゴミなどの異物が粘着テープ１２の第２の固定部１２ｂに貼り付くことにより、バリア装置５内に侵入したゴミなどの異物を除去することができると共に、バリア駆動リング６、バリア羽根７、８の作動不良を防止することが出来る。
【００３８】
更に支持筒４のフランジ部に孔が形成されていた場合は、レンズ鏡筒ユニット１内へのゴミなどの異物侵入を防止することができる。
【００３９】
次に図１０から図１４を用いて本実施形態に係るバリア装置の開閉動作について説明する。
【００４０】
まず、バリア羽根７、８を図１０から図１２に示す全閉状態から図１３から図１４に示す全開状態にする場合ついて説明する。
【００４１】
不図示の主電源スイッチを押すと、図１０に示すモーター１５が回転する。モーター１５の回転力は動力伝達減速機構１６を介してカム筒１７のギア１７ａに伝達される。
【００４２】
回転力が伝達されたカム筒１７は、直進筒１８の外周を中心に反時計方向に回転しながら不図示の固定筒のカムに沿って光軸方向に繰出す。この時、カム筒１７の内側に配置された直進筒１８はカム筒１７と一体で光軸方向に繰出す。
【００４３】
カム筒１７の回転により、支持筒４はカム筒１７のカムに沿って光軸方向に繰出す。この時、支持筒４は直進筒１８の直進溝（不図示）と嵌合しているため回転しないで光軸方向に繰出す。この支持筒４の繰出し動作により、バリア駆動リング６も同様に光軸方向に繰出すことになる。
【００４４】
バリア駆動リング６の繰出し動作により、バリア駆動リング６はの駆動部６ａの斜面が地板１４の突起部１４ａの斜面に沿って、チャージされたスプリング９、１０のスプリング力でより支持筒４のレンズ保持部４ａを中心に反時計方向に回転する。
【００４５】
バリア駆動リング６の回転により、バリア駆動リング６の切り欠き部６ｂの先端がＲ形状した凸部６ｆがバリア羽根７に当接する。またバリア駆動リング６の切り欠き部６ｃの先端がＲ形状した凸部６ｇがバリア羽根８に当接することでバリア駆動リング６の回転力がバリア羽根７、８に伝達される。
【００４６】
回転力が伝達されたバリア羽根７は支持筒４の支持穴４ｂを中心に時計方向に回転する。またバリア羽根８は支持筒４の支持穴４ｃを中心に時計方向に回転する。
【００４７】
バリア羽根７、８の回転により、図１３から図１４に示すようにバリア羽根７、８はバリアカバー１１の開口部１１ａから退避し、撮影レンズ２の前面を露出させることでバリア全開状態となる。
【００４８】
次にバリア羽根７、８を図１３から図１４に示す全開状態から図１０から図１２に示す全閉状態にする場合ついて説明する。
【００４９】
不図示の主電源スイッチを押すと、図１０に示すモーター１５が回転する。モーター１５の回転力は動力伝達減速機構１６を介してカム筒１７のギア１７ａに伝達される。
【００５０】
回転力が伝達されたカム筒１７は、直進筒１８の外周を中心に時計方向に回転しながら不図示の固定筒のカムに沿って光軸方向に繰込む。この時、カム筒１７の内側に配置された直進筒１８はカム筒１７と一体で光軸方向に繰込む。
【００５１】
カム筒１７の回転により、支持筒４はカム筒１７のカムに沿って光軸方向に繰込む。この時、支持筒４は直進筒１８の直進溝（不図示）と嵌合しているため回転しないで光軸方向に繰込む。支持筒４の繰込み動作により、バリア駆動リング６も同様に光軸方向に繰込むことになる。
【００５２】
バリア駆動リング６の繰込み動作により、バリア駆動リング６の駆動部６ａの斜面は図１１に示すように、地板１４の突起部１４ａの斜面に当接する。バリア駆動リング６は地板１４の突起部１４ａの斜面に沿ってスプリング９、１０をチャージしながら支持筒４のレンズ保持部４ａを中心に時計方向に回転する。
【００５３】
バリア駆動リング６の回転により、バリア羽根７はスプリング９のスプリング力により支持筒４の支持孔４ｂを中心に反時計方向に回転する。またバリア羽根８はスプリング１０のスプリング力により支持筒４の支持孔４ｃを中心に反時計方向に回転する。
【００５４】
バリア羽根７、８の回転により、図１０から図１２に示すようにバリア羽根７、８はバリアカバー１１の開口部１１ａ内に進入し、撮影レンズ２の前面を覆うことで全閉状態となる。
【００５５】
上記説明したように、粘着テープ１２の第２の固定部１２ｂで支持筒４の貫通孔４ｇを覆うようにした。これにより、バリア装置５内に侵入したゴミなどの異物を除去することができるので、バリア開閉不良、レンズ鏡筒ユニット内に配置された駆動部の作動不良を防止することが出来る。
【００５６】
また、粘着テープ１２の第２の固定部１２ｂのサイズを支持筒４の貫通孔４ｇより大きく設定することで、確実に支持筒４の貫通孔４ｇを覆うことができ、バリア装置５内に侵入したゴミなどの異物を除去することができる。
【００５７】
また、外観カバー１３を固定する粘着テープ１２を利用しているので、バリア装置５内に侵入したゴミなどの異物を除去する専用部品が不要になる。
【００５８】
また、粘着テープ１２の第１の固定部１２ａと第２の固定部１２ｂにより、外観カバー１３が２部品（本実施例ではバリアカバー１１と支持筒４）に固定されるので外観カバー１３を確実に固定することができる。
【００５９】
（実施例２）
以下、図面を参照して、本発明の実施形態２について詳細に説明する。まず、図１５から図１７を用いて本実施形態２に係るバリア装置内にゴミなどの異物が侵入した場合について説明する。
【００６０】
機械的構造は上記実施形態１のものと同じであるから、実施形態１に示した構造要素と同じものは図１５から図１７においても図１から図１４と同じ符号で示し、これらの構造要素についてはその説明を省略する。また、本発明の実施形態２における動作も、上記実施形態１と同じなのでその説明も省略する。
【００６１】
上記実施形態と１と異なる構成は、図１５及び図１６に示すようにバリアカバー１１に貫通孔１１ｃを設け、図１７に示すように粘着テープ１２の第１の固定部１２ａで覆うようにしたことのみである。
【００６２】
バリアカバー１１の貫通孔１１ｃはバリア羽根７、８が、図１５に示す全閉状態から図１６に示す全開状態に移動する走行範囲以外に設けられている。
【００６３】
これにより、バリア装置５内に侵入したゴミなどの異物は、バリアカバー１１の貫通孔１１ｃを貫通し粘着テープ１２の第１の固定部１２ａに貼り付き、バリア装置５内に侵入したゴミなどの異物を除去することができる。
【００６４】
上記説明したように、バリアカバー１１にバリア羽根７、８が開閉する走行範囲以外に貫通孔１１ｃを設け、粘着テープ１２の第１の固定部１２ａで覆う。これにより、バリア装置５内に侵入したゴミなどの異物を除去することができ、バリア開閉不良、レンズ鏡筒ユニット内に配置された駆動部の作動不良を防止することが出来る。
【００６５】
また、バリア羽根７、８の走行範囲以外に貫通孔１１ｃを設けているので、バリア開閉途中でバリア羽根７、８がバリアカバー１１の貫通孔１１ｃに引っかかり開閉不良を起すといった事もない。
【００６６】
また、ゴミなどの異物がバリアカバー１１の貫通孔１１ｃを貫通し粘着テープ１２の第１の固定部１２ａに貼り付いても、走行範囲以外なのでバリア開閉途中でバリア羽根７、８がゴミなどの異物に引っかかり開閉不良を起すといった事もない。
【図面の簡単な説明】
【００６７】
【図１】本発明の実施形態１に係るバリア構成を示す分解斜視図である。
【図２】本発明の実施形態１に係る支持筒の係止爪と貫通孔の関係を示す図１のＥ部の部分拡大図である。
【図３】本発明の実施形態１に係るバリアカバーの係止爪と支持筒の貫通孔の関係を示す図７のＡ−Ａ断面図である。
【図４】本発明の実施形態１に係る粘着テープ貼り付け位置を示す正面図である。
【図５】本発明の実施形態１に係る粘着テープ貼り付け位置を示す斜視図である。
【図６】本発明の実施形態１に係る粘着テープを折り曲げた状態を示す正面図である。
【図７】本発明の実施形態１に係る粘着テープで支持筒の貫通孔を塞いだ状態を示す側面図である。
【図８】本発明の実施形態１に係るゴミなどの異物がバリア装置内に侵入状態を示す断面図である。
【図９】本発明の実施形態１に係るゴミなどの異物が粘着テープに貼り付いた状態を示す図８のＦ部の部分拡大図である。
【図１０】本発明の実施形態１に係るズーム駆動系を示す斜視図である。
【図１１】本発明の実施形態１に係るバリア羽根全閉状態におけるバリア駆動リングの保持状態を示す斜視図である。
【図１２】本発明の実施形態１に係るバリア羽根全閉状態を示す正面図である。
【図１３】本発明の実施形態１に係るバリア羽根全開状態におけるバリア駆動リングの駆動状態を示す斜視図である。
【図１４】本発明の実施形態１に係るバリア羽根全開状態を示す正面図である。
【図１５】本発明の実施形態２に係るバリア羽根全閉状態時のバリアカバーとバリア羽根の関係を示す背面図である。
【図１６】本発明の実施形態２に係るバリア羽根全開状態時のバリアカバーとバリア羽根の関係を示す背面図である。
【図１７】本発明の実施形態２に係る粘着テープでバリアカバーの貫通孔を塞いだ状態を示す正面図である。
【符号の説明】
【００６８】
１  レンズ鏡筒ユニット
２  撮影レンズ（撮影光学系）
４  支持筒（支持部材）
４ｇ、１１ｃ  貫通孔
５  バリア装置
７、８  バリア羽根（バリア部材）
１１  バリアカバー（カバー部材）
１１ｂ  係止爪
１２  粘着テープ（粘着部材）
１２ａ  第１の固定部
１２ｂ  第２の固定部（保護部）
１３  外観カバー（外観部材）
【図１】
2008191553.tif 000003
【図２】
2008191553.tif 000004
【図３】
2008191553.tif 000005
【図４】
2008191553.tif 000006
【図５】
2008191553.tif 000007
【図６】
2008191553.tif 000008
【図７】
2008191553.tif 000009
【図８】
2008191553.tif 000010
【図９】
2008191553.tif 000011
【図１０】
2008191553.tif 000012
【図１１】
2008191553.tif 000013
【図１２】
2008191553.tif 000014
【図１３】
2008191553.tif 000015
【図１４】
2008191553.tif 000016
【図１５】
2008191553.tif 000017
【図１６】
2008191553.tif 000018
【図１７】
2008191553.tif 000019